(57)【要約】  第１機器を検索し、検索された第１機器が、端末に保存された機器リストに含まれているか否かを確認し、第２機器から第１機器関連情報を獲得し、獲得された第１機器関連情報に基づいて、第１機器と連結する機器間連結制御方法である。第１機器を検索する段階は、近接認識範囲にある第１機器を検出する段階と、第１機器の識別情報を受信する段階と、を含む。また、検索された第１機器が、端末に保存された機器リストに含まれていない場合、第２機器に、第１機器関連情報を要請する段階をさらに含む。
2014513876.tif 000002
【特許請求の範囲】
【請求項１】
第１機器を検索する段階と、
前記検索された第１機器が、端末に保存された機器リストに含まれているか否かを確認する段階と、
第２機器から前記第１機器関連情報を獲得する段階と、
前記獲得された第１機器関連情報に基づいて、前記第１機器と連結する段階と、を含むことを特徴とする機器間連結制御方法。
【請求項２】
前記第１機器を検索する段階は、
近接認識範囲にある第１機器を検出する段階と、
前記第１機器の識別情報を受信する段階と、を含むことを特徴とする請求項１に記載の機器間連結制御方法。
【請求項３】
前記検索された第１機器が、端末に保存された機器リストに含まれていない場合、前記第２機器に、前記第１機器関連情報を要請する段階をさらに含むことを特徴とする請求項１に記載の機器間連結制御方法。
【請求項４】
前記第２機器から、前記第１機器関連情報を獲得する段階は、前記第２機器に、前記第１機器の識別情報を伝送し、前記第２機器から、前記第１機器の認証情報を獲得する段階を含むことを特徴とする請求項２に記載の機器間連結制御方法。
【請求項５】
前記第２機器から、前記第１機器の認証情報を獲得する段階は、前記第２機器の選択レベルによって、選択的に、前記第１機器の認証情報を獲得する段階を含むことを特徴とする請求項４に記載の機器間連結制御方法。
【請求項６】
前記第１機器の識別情報は、前記第１機器のＭＡＣアドレス、名称、機種情報のうち少なくとも一つを含むことを特徴とする請求項２に記載の機器間連結制御方法。
【請求項７】
前記第１機器の認証情報は、前記第１機器のユーザが指定した所定の数字の組み合わせ、パターン入力、前記第１機器のユーザの生体情報のうち少なくとも一つを含むことを特徴とする請求項４に記載の機器間連結制御方法。
【請求項８】
外部機器を検索する段階と、
前記検索された外部機器が、端末に保存された機器リストに含まれているか否かを確認する段階と、
前記外部機器認証情報を獲得する段階と、
前記獲得された外部機器認証情報に基づいて、前記外部機器と連結する段階と、を含むことを特徴とする機器間連結制御方法。
【請求項９】
前記外部機器を検索する段階は、
近接認識範囲にある外部機器を検出する段階と、
前記外部機器の識別情報を受信する段階と、を含むことを特徴とする請求項８に記載の機器間連結制御方法。
【請求項１０】
前記外部機器の識別情報は、前記外部機器のＭＡＣアドレス、名称、機種情報のうち少なくとも一つを含むことを特徴とする請求項９に記載の機器間連結制御方法。
【請求項１１】
前記外部機器の認証情報は、前記外部機器のユーザが指定した所定の数字の組み合わせ、パターン入力、前記外部機器のユーザの生体情報のうち少なくとも一つを含むことを特徴とする請求項８に記載の機器間連結制御方法。
【請求項１２】
所定の機器リストを保存する保存部と、
第１機器を検索する通信部と、
前記検索された第１機器が、前記保存部に保存された機器リストに含まれているか否かを確認し、前記通信部を介して、第２機器から前記第１機器関連情報を獲得し、前記獲得された第１機器関連情報に基づいて、前記第１機器と連結する制御部と、を含むことを特徴とする機器間連結制御装置。
【請求項１３】
前記通信部は、近接認識範囲にある第１機器を検出し、前記第１機器の識別情報を受信することを特徴とする請求項１２に記載の機器間連結制御装置。
【請求項１４】
前記制御部は、前記検索された第１機器が、端末に保存された機器リストに含まれていない場合、前記第２機器に、前記第１機器関連情報を要請することを特徴とする請求項１２に記載の機器間連結制御装置。
【請求項１５】
前記通信部は、前記第２機器に、前記第１機器の識別情報を伝送し、前記第２機器から、前記第１機器の認証情報を受信することを特徴とする請求項１３に記載の機器間連結制御装置。
【請求項１６】
前記通信部は、前記第２機器の選択レベルによって、選択的に、前記第１機器の認証情報を受信することを特徴とする請求項１５に記載の機器間連結制御装置。
【請求項１７】
前記第１機器の識別情報は、前記第１機器のＭＡＣアドレス、名称、機種情報のうち少なくとも一つを含むことを特徴とする請求項１３に記載の機器間連結制御装置。
【請求項１８】
前記第１機器の認証情報は、前記第１機器のユーザが指定した所定の数字の組み合わせ、パターン入力、前記第１機器のユーザの生体情報のうち少なくとも一つを含むことを特徴とする請求項１５に記載の機器間連結制御装置。
【請求項１９】
所定の機器リストを保存する保存部と、
外部機器を検索する通信部と、
前記検索された外部機器が、前記保存部に保存された機器リストに含まれているか否かを確認し、前記通信部を介して、前記外部機器から、前記外部機器認証情報を獲得し、前記獲得された外部機器認証情報に基づいて、前記外部機器と連結する制御部と、を含むことを特徴とする機器間連結制御装置。
【請求項２０】
前記通信部は、近接認識範囲にある外部機器を検出し、前記外部機器の識別情報を受信することを特徴とする請求項１９に記載の機器間連結制御装置。
【請求項２１】
前記外部機器の識別情報は、前記外部機器のＭＡＣアドレス、名称、機種情報のうち少なくとも一つを含むことを特徴とする請求項２０に記載の機器間連結制御装置。
【請求項２２】
前記外部機器の認証情報は、前記外部機器のユーザが指定した所定の数字の組み合わせ、パターン入力、前記外部機器のユーザの生体情報のうち少なくとも一つを含むことを特徴とする請求項１９に記載の機器間連結制御装置。
【請求項２３】
第１機器を検索する段階と、
前記検索された第１機器が、端末に保存された機器リストに含まれているか否かを確認する段階と、
第２機器から前記第１機器関連情報を獲得する段階と、
前記獲得された第１機器関連情報に基づいて、前記第１機器と連結する段階と、を含む機器間連結制御方法を行うためのプログラムを記録した、コンピュータで読み取り可能な記録媒体。
【請求項２４】
外部機器を検索する段階と、
前記検索された外部機器が、端末に保存された機器リストに含まれているか否かを確認する段階と、
前記外部機器認証情報を獲得する段階と、
前記獲得された外部機器認証情報に基づいて、前記外部機器と連結する段階と、を含む機器間連結制御方法を行うためのプログラムを記録した、コンピュータで読み取り可能な記録媒体。
【発明の詳細な説明】
【技術分野】
【０００１】
本発明は、機器間連結制御方法及びその装置に係り、さらに詳細には、識別情報及び認証情報の入力なしに、自動的に機器間連結を制御する方法及びその装置に関する。
【背景技術】
【０００２】
現在、ホームネットワーク関連製品が増加しながら宅内共用製品での家族構成員別の個人データの管理や、宅外からの宅内ネットワークへの連結など、個別アカウントの必要性が高まっている。しかし、一般的なアカウント認証方法は、アカウント名（ＩＤ）とパスワードとを入力しなければならないために、別途のテキスト入力装置を利用するが、その場合、それぞれの入力段階を経るという不都合がある。
【発明の概要】
【発明が解決しようとする課題】
【０００３】
本発明が解決しようとする技術的課題は、サーバを経由せずに、機器間直接ネットワーク連結を行う場合、機器間連結履歴がなければ、ネットワーク内の機器情報があらかじめ登録された機器から、連結する機器の情報を受信し、機器間ネットワーク連結を容易にする方法及びその装置を提供するところにある。
【課題を解決するための手段】
【０００４】
前記技術的課題を解決するための本発明の一実施形態によって、機器間連結制御方法は、第１機器を検索する段階と、前記検索された第１機器が、端末に保存された機器リストに含まれているか否かを確認する段階と、第２機器から前記第１機器関連情報を獲得する段階と、前記獲得された第１機器関連情報に基づいて、前記第１機器と連結する段階と、を含む。
【０００５】
前記技術的課題を解決するための本発明の他の実施形態によって、機器間連結制御方法は、外部機器を検索する段階と、前記検索された外部機器が、端末に保存された機器リストに含まれているか否かを確認する段階と、前記外部機器認証情報を獲得する段階と、前記獲得された外部機器認証情報に基づいて、前記外部機器と連結する段階と、を含む。
【０００６】
前記技術的課題を解決するための本発明のさらに他の実施形態によって、機器間連結制御装置は、所定の機器リストを保存する保存部と、第１機器を検索する通信部と、前記検索された第１機器が、前記保存部に保存された機器リストに含まれているか否かを確認し、前記通信部を介して、第２機器から前記第１機器関連情報を獲得し、前記獲得された第１機器関連情報に基づいて、前記第１機器と連結する制御部と、を含む。
【０００７】
前記技術的課題を解決するための本発明のさらに他の実施形態によって、機器間連結制御装置は、所定の機器リストを保存する保存部と、外部機器を検索する通信部と、前記検索された外部機器が、前記保存部に保存された機器リストに含まれているか否かを確認し、前記通信部を介して、前記外部機器から前記外部機器認証情報を獲得し、前記獲得された外部機器認証情報に基づいて、前記外部機器と連結する制御部と、を含む。
【図面の簡単な説明】
【０００８】
【図１】本発明の一実施形態による機器間連結制御方法に係わるフローチャートである。
【図２】本発明の他の実施形態による機器間連結制御方法に係わるフローチャートである。
【図３】図１または図２の方法のシナリオを示す図面である。
【図４】機器登録に係わるインターフェースの例を示す図面である。
【図５】他の機器に、ユーザ所有のデバイス（user owned device）に登録する例を示す図面である。
【図６】ユーザ所有の機器に登録されている機器の状態を確認することができる例を示す図面である。
【図７】連結された機器での統合コンテンツリスト例を示す図面である。
【図８】本発明の一実施形態による機器間連結制御装置と、連結される機器とに係わるブロックダイヤグラムを示す図面である。
【発明を実施するための形態】
【０００９】
添付された図面を参照して、本発明の望ましい実施形態について詳細に説明する。
図１は、本発明の一実施形態による機器間連結制御方法に係わるフローチャートを示す図面である。
【００１０】
図１を参照すれば、段階１１０で、機器間連結制御装置は、外部機器を検出する。機器間連結制御装置は、外部機器にネットワーク接続の試みを行う。本発明の一実施形態において、接続試み方法としては、連結されたアクセスポイント（ＡＰ）を利用したり、あるいは、有線などを利用することができる。機器間連結制御装置は、近接認識（sensing proximity）範囲にある外部機器を検出する。機器間連結制御装置が外部機器を検出した場合、同一ネットワークと判断され、機器間連結制御装置と外部機器は、例えば、ＤＬＮＡ（digital living network alliance）のような非アカウント認証連結がなされる。
【００１１】
段階１２０で、機器間連結制御装置は、連結された外部機器から、外部機器の識別情報（identification information）（例えば、機器ＩＤ（identification））を受信する。識別情報の例としては、全ての機器が固有に有するネットワークモジュールのＭＡＣアドレス（medium access control address）、ネットワーク上での機器区分のために使用される名称（name）及び機種情報のうち少なくとも一つを含む。外部機器を識別することができる情報であるならば、前述の例のみに制限されるものではない。
【００１２】
段階１３０で、機器間連結制御装置は、受信した外部機器の識別情報に基づいて、外部機器が、既保存の機器リストに登録されているか否かを判断する。機器リストは、連結のための少なくとも１つの外部機器の識別情報を保存しているリストである。本発明の一実施形態で、リストは、メタデータ形式によってなってもよい。識別情報の例は、前述の段階１２０で記述した識別情報と同一である。
【００１３】
また、機器リストには、両機器を連結するための認証情報（例えば、パスワード（password））を含んでもよい。外部機器の認証情報は、外部機器のユーザが指定した所定の数字の組み合わせ（例えば、１１１１）、パターン入力（例えば、タッチパネルに任意の線または図形を描く入力）、前記外部機器のユーザの生体情報（例えば、ユーザの音声または指紋）のうち少なくとも一つを含む。機器間連結制御装置は、受信した外部機器の識別情報と、機器リストに登録されている識別情報との一致いかんを判断する。外部機器が機器リストに登録されている場合には、段階１４０に移動し、登録されていない場合には、段階１５０に移動する。
【００１４】
段階１４０で、機器間連結制御装置は、外部機器ユーザ認証情報を受信する。機器間連結制御装置は、外部機器から、外部機器のユーザ認証情報、例えば、パスワードを受信する。この場合、ユーザ認証情報が、既保存のユーザ認証情報と一致する場合、段階１６０に移動する。他の実施形態では、外部機器のユーザ認証情報が既保存である場合、機器間連結制御装置は、既保存であるユーザ認証情報を呼び出すこともできる。その場合には、ユーザ認証情報の一致いかんの確認なしに、すぐ段階１６０に移動する。
【００１５】
段階１５０で、機器間連結制御装置は、外部機器を登録させることができる。登録を希望する場合には、機器間連結制御装置は、ユーザ認証情報を入力に基づいて、外部機器を機器リストに登録を行う。機器リストに登録される場合、段階１４０に移動し、登録されない場合には終わる。
段階１６０で、機器間連結制御装置と外部機器とは連結される。
【００１６】
図２は、本発明の他の実施形態による機器間連結制御方法に係わるフローチャートを示す図面である。
図２を参照すれば、段階２１０ないし段階２３０は、図１の段階１１０ないし段階１３０と同様であるので、重複された説明を避けるために省略する。ただし、図１の外部機器と、図２での第１機器は、同一の機器として説明される。また、第１機器が機器リストに登録されている場合には、段階２６０に移動し、そうではない場合には、段階２４０に移動する。
その後、機器間連結制御装置は、第１機器の関連情報が保存された第２機器から、第１機器関連情報を獲得する。具体的な方法は、段階２４０及び段階２５０に記述する。
【００１７】
段階２４０で、第１機器が機器リストに登録されていない場合、機器間連結制御装置は、第１機器の関連情報が保存された第２機器に、第１機器の識別情報を送信する。図１とは異なり、第１機器の登録を実施するのではなく、第１機器の関連情報を保存している第２機器に、第１機器の関連情報を要請する。要請する方法としては、受信した第１機器の識別情報を第２機器に送信する。機器の識別情報は、図１の段階１３０で記述した識別情報と同一である。
【００１８】
段階２５０で、機器間連結制御装置は、第２機器から、第１機器の認証情報を受信する。機器の認証情報は、図１の段階１３０で記述した認証情報と同一である。他の実施形態で、第２機器は、レベルによって、認証情報を送信することができる機器の制限を置くことができる。その場合、第２機器は、第１機器、または機器間連結制御装置によって認証情報を送信せずに制限することができる。
【００１９】
段階２６０で、機器間連結制御装置と第１機器は、互いに連結される。第２機器から第１機器の関連情報を獲得したり、あるいは第１機器が機器リストに登録されている場合には、機器間連結制御装置と第１機器は、互いに連結される。
【００２０】
図３は、図１または図２の方法のシナリオを示す図面である。
図３を参照すれば、それぞれのデバイス（デバイスＡ ３１０ないしデバイスＤ ３４０）は、機器リストを保存しているデバイス・メタデータＤＢ（database）を含む。デバイス・メタデータは、連結する機器の関連情報を保存しているユーザのアカウント情報を含む。ユーザのアカウント情報は、ユーザによって入力が可能である。
【００２１】
デバイスＡ ３１０は、デバイスＢの識別情報３１２、デバイスＣの識別情報３１４、及びそれぞれの認証情報３１６を含んでいる。デバイスＢ ３２０は、デバイスＡの識別情報３２２及び認証情報３２４を含んでいる。デバイスＣ ３３０は、デバイスＡの識別情報３３２及び認証情報３３４を含んでいる。デバイスＤ ３４０は、デバイスＡの識別情報３４２、デバイスＢの識別情報３４４、デバイスＣの識別情報３４６、及びそれぞれの認証情報３４８を含んでいる。
【００２２】
デバイスＡ ３１０またはデバイスＢ ３２０が互いに連結する場合、それぞれのデバイス（デバイスＡ ３１０、デバイスＢ ３２０）は、相手のデバイスに係わる情報を含んでいるから、デバイス連結に必要な情報の入力なしに、自動的に連結される。また、デバイスＡ ３１０またはデバイスＣ ３３０も、互いに連結する場合、それぞれのデバイス（デバイスＡ ３１０、デバイスＣ ３３０）は、相手のデバイスに係わる情報を含んでいるから、デバイス連結に必要な情報の入力なしに、自動的に連結される。
【００２３】
しかし、デバイスＢ ３２０またはデバイスＣ ３３０が互いに連結する場合、それぞれのデバイス（デバイスＢ ３２０、デバイスＣ ３３０）は、相手のデバイスに係わる情報を含んでいないから、デバイス連結に必要な情報の入力なしに連結されることはない。その場合、デバイスＢ ３２０またはデバイスＣ ３３０の関連情報を含んでいるデバイスＤ ３４０に、デバイス関連情報を要請しなければならない。その後、デバイスＢの識別情報３４４またはデバイスＣの識別情報３４６、及び認証情報３４８を受信し、デバイスＢ ３２０からデバイスＣ ３３０、またはデバイスＣ ３３０からデバイスＢ ３２０に自動的に連結される。
【００２４】
図４は、機器登録に係わるインターフェースの例を示す図面である。
図４を参照すれば、最初のインターフェース画面４１０には、ユーザ所有の機器名称を表示する機器名称項目４１１、オフライン機器のコンテンツが表示される項目４１２、ユーザ所有の機器リストに新たな機器を追加することができる項目４１３、ユーザ所有の機器連結時に使用されるパスワードを設定する項目４１４、個人的に共有するコンテンツ項目を管理する個人共有コンテンツ設定項目４１５、及びユーザ所有の機器に登録された機器の項目４１７が具備されている。
【００２５】
ユーザによって新たな機器を追加することができる項目４１３を活性化させる場合、第２のインターフェース画面４２０が提供される。その場合、第２のインターフェース画面４２０には、検索された機器のうち、ユーザ所有の機器に登録されていない機器４２１ないし４２４が表示される。
【００２６】
その後、ユーザ所有の機器に登録する機器を選択する場合、本図面では、ＡＢＣ＿galaxy ４２３を選択する場合、パスワード入力を要求するウィンドウ４３２が表示されるインターフェース画面が提供され、入力後には、登録過程ウィンドウ４３１が表示されるインターフェース画面４３０ａが提供される。パスワード入力を要求するウィンドウ４３２で、ユーザがkeep me logged inをチェックする場合には、追ってパスワード入力過程なしに連結される。
【００２７】
正常に登録過程を遂行する場合、選択した機器４４１が登録されている最初のインターフェース画面４１０と同一のインターフェース画面４４０が提供される。
【００２８】
図５は、他の機器にユーザ所有のデバイスとして登録する例を示す図面である。
図５を参照すれば、最初のインターフェース画面５１０で、ユーザ所有の機器として登録する機器を選択する場合、本図面では、ＡＢＣ＿galaxyを選択する場合、他の機器（例えば、本図面では、ＸＹＺ−１１０Ｓ）に登録を行うか否かの確認を要求するウィンドウ５２１が表示されるインターフェース画面５２０が提供される。本図面で、他の機器とは、図３を例として挙げる場合、デバイスＤ ３４０のようなものである。
ユーザが許容する場合、図４のインターフェース画面４３０ａ，４３０ｂ，４４０と同一のインターフェース画面５３０ａ，５３０ｂ，５４０が提供される。
【００２９】
図６は、ユーザ所有の機器に登録されている機器の状態を確認することができる例を示す図面である。
図６を参照すれば、図４の最初のインターフェース画面４１０と同一のインターフェース画面６１０が提供される。その場合、ユーザが、現在ユーザ所有の機器として登録されている機器、例えば、本図面では、ＡＢＣ＿galaxy６１７を選択する場合、ＡＢＣ＿galaxyに係わる状態に係わるウィンドウ６２１が提供されるインターフェース画面６２０が提供される。ＡＢＣ＿galaxyに係わる状態に係わるウィンドウ６２１には、機器を削除することができる項目６２２、及び詳細情報を確認することができる項目６２３が含まれている。ユーザが機器を削除することができる項目６２２を選択する場合には、選択された機器は、ユーザ所有の機器登録リストから削除される。ユーザが詳細情報を確認することができる項目６２３を選択する場合には、詳細情報が表示されたインターフェース画面６３０が提供される。詳細情報が表示されたインターフェース画面６３０には、機器名称６３１と、追ってパスワード入力過程なしに連結過程が遂行されるkeep me logged inチェック項目６３２とを含む。
【００３０】
図７は、連結された機器での統合コンテンツリスト例を示す図面である。
図７を参照すれば、最初のインターフェース画面７１０には、コンテンツタイプが表示された項目７１５、コンテンツ、及びコンテンツが保存されているユーザ所有の機器に登録された機器が表示される。現在連結されている機器７１１ないし７１４の場合には、ボールド形式で太く表示される。第２のインターフェース画面７２０で、private content項目７２１を選択する場合、パスワードを要求するウィンドウ７３１が表示されるインターフェース画面７３０が提供され、パスワードを入力する場合、連結された機器で、コンテンツ７４１ないし７４４が統合される。
【００３１】
図８は、本発明の一実施形態による機器間連結制御装置と、連結される機器とに係わるブロックダイヤグラムを示す図面である。
図８を参照すれば、機器間連結制御装置８１０は、通信部８１２、保存部８１４及び制御部８１６を含み、第１機器８２０は、通信部８２２、保存部８２４及び制御部８２６を含み、第２機器８３０は、通信部８３２、保存部８３４及び制御部８３６を含む。
【００３２】
（第１実施形態）
第１実施形態は、機器間連結制御装置８１０及び第１機器８２０の連結に係わる一実施形態である。
機器間連結制御装置８１０の通信部８１２は、第１機器８２０を検出する。機器間連結制御装置８１０の通信部８１２は、第１機器８２０にネットワーク接続試みを行う。本発明の一実施形態において、接続試み方法として、機器間連結制御装置８１０の通信部８１２は、連結されたアクセスポイント（ＡＰ）を利用したり、あるいは有線などを利用することができる。機器間連結制御装置８１０の通信部８１２は、近接認識範囲にある第１機器８２０を検出する。機器間連結制御装置８１０の通信部８１２が第１機器８２０を検出した場合、同一ネットワークと判断され、機器間連結制御装置８１０と第１機器８２０は、例えば、ＤＬＮＡのような非アカウント認証連結がなされる。
【００３３】
その後、機器間連結制御装置８１０の通信部８１２は、連結された第１機器８２０から第１機器８２０の識別情報（例えば、機器ＩＤ）を受信する。識別情報の例としては、全ての機器が固有に有するネットワークモジュールのＭＡＣアドレス、ネットワーク上での機器区分のために使用される名称及び機種情報のうち少なくとも一つを含む。外部機器を識別することができる情報であるならば、前述の例に制限されるものではない。
【００３４】
機器間連結制御装置８１０の保存部８１４は、外部機器が既保存となっている機器リストを保存する。機器リストは、連結のための少なくとも１つの外部機器の識別情報を保存しているリストである。本発明の一実施形態で、リストは、メタデータ形式からなってもよい。識別情報の例は、前述の識別情報と同一である。また、機器リストには、両機器を連結するための認証情報（例えば、パスワード）も含んでもよい。外部機器の認証情報は、外部機器のユーザが指定した所定の数字の組み合わせ（例えば、１１１１）、パターン入力（例えば、タッチパネルに任意の線または図形を描く入力）、前記外部機器のユーザの生体情報（例えば、ユーザの音声または指紋）のうち少なくとも一つを含む。
【００３５】
機器間連結制御装置８１０の制御部８１６は、受信した第１機器８２０の識別情報に基づいて、第１機器８２０が機器間連結制御装置８１０の保存部８１４に保存された機器リストに登録されているか否かを判断する。機器間連結制御装置８１０の制御部８１６は、受信した第１機器８２０の識別情報と、機器リストに登録されている識別情報との一致いかんを判断する。第１機器８２０が機器リストに登録されている場合には、機器間連結制御装置８１０の通信部８１２は、第１機器８２０のユーザ認証情報を受信する。
【００３６】
機器間連結制御装置８１０の通信部８１２は、外部機器から外部機器のユーザ認証情報、例えば、パスワードを受信する。その場合、ユーザ認証情報が、既保存のユーザ認証情報と一致する場合、機器間連結制御装置８１０と第１機器８２０とは連結される。他の実施形態では、第１機器８２０のユーザ認証情報が、機器間連結制御装置８１０の保存部８１４に保存されている場合、機器間連結制御装置８１０の制御部８１６は、保存されているユーザ認証情報を呼び出すこともできる。その場合には、ユーザ認証情報の一致いかんの確認なしに、すぐ機器間連結制御装置８１０と第１機器８２０とは連結される。
【００３７】
第１機器８２０が機器リストに登録されていない場合には、機器間連結制御装置８１０の制御部８１６は、第１機器８２０を登録することができる。登録を希望する場合には、機器間連結制御装置８１０の制御部８１６は、ユーザ認証情報の入力に基づいて、第１機器８２０を、機器間連結制御装置８１０の保存部８１４の機器リストに登録する。
機器間連結制御装置８１０と第１機器８２０との連結方法は、どちらの装置が接続を試みるかによって、その役割が変わりもする。
【００３８】
（第２実施形態）
第２実施形態は、機器間連結制御装置８１０及び第１機器８２０の連結制御に係わる他の実施形態である。
機器間連結制御装置８１０の通信部８１２は、第１機器８２０を検出する。機器間連結制御装置８１０の通信部８１２は、第１機器８２０に、ネットワーク接続試みを行う。本発明の一実施形態において、接続試み方法として、機器間連結制御装置８１０の通信部８１２は、連結されたアクセスポイント（ＡＰ）を利用したり、あるいは有線などを利用することができる。機器間連結制御装置８１０の通信部８１２は、近接認識範囲にある第１機器８２０を検出する。機器間連結制御装置８１０の通信部８１２が第１機器８２０を検出した場合、同一ネットワークと判断され、機器間連結制御装置８１０と第１機器８２０は、例えば、ＤＬＮＡのような非アカウント認証連結がなされる。
【００３９】
その後、機器間連結制御装置８１０の通信部８１２は、連結された第１機器８２０から、第１機器８２０の識別情報（例えば、機器ＩＤ）を受信する。識別情報の例としては、全ての機器が固有に有するネットワークモジュールのＭＡＣアドレス、ネットワーク上での機器区分のために使用される名称及び機種情報のうち少なくとも一つを含む。外部機器を識別することができる情報であるならば、前述の例に制限されるものではない。
【００４０】
機器間連結制御装置８１０の保存部８１４は、外部機器が既保存となっている機器リストを保存する。機器リストは、連結のための少なくとも１つの外部機器の識別情報を保存しているリストである。本発明の一実施形態で、リストは、メタデータ形式からなってもよい。識別情報の例は、前述の識別情報と同一である。また、機器リストには、両機器を連結するための認証情報（例えば、パスワード）も含んでもよい。外部機器の認証情報は、外部機器のユーザが指定した所定の数字の組み合わせ（例えば、１１１１）、パターン入力（例えば、タッチパネルに任意の線または図形を描く入力）、前記外部機器のユーザの生体情報（例えば、ユーザの音声または指紋）のうち少なくとも一つを含む。
【００４１】
機器間連結制御装置８１０の制御部８１６は、受信した第１機器８２０の識別情報に基づいて、第１機器８２０が機器間連結制御装置８１０の保存部８１４に保存された機器リストに登録されているか否かを判断する。機器間連結制御装置８１０の制御部８１６は、受信した第１機器８２０の識別情報と、機器リストに登録されている識別情報との一致いかんを判断する。第１機器８２０が機器リストに登録されている場合には、機器間連結制御装置８１０と第１機器８２０は、互いに連結される。
【００４２】
もし機器間連結制御装置８１０の保存部８１４の機器リストに、第１機器８２０が登録されていない場合、機器間連結制御装置８１０は、第１機器８２０の関連情報が保存された第２機器８３０から、第１機器８２０関連情報を獲得する。具体的には、機器間連結制御装置８１０の通信部８１２は、第１機器８２０の関連情報が、第２機器８３０の保存部８３４に保存された第２機器８３０の通信部８３２に、第１機器８２０の識別情報を送信する。第１実施形態とは異なり、第１機器８２０の登録を実施するのではなく、第１機器８２０の関連情報を保存している第２機器８３０に、第１機器８２０の関連情報を要請する。要請する方法としては、機器間連結制御装置８１０の通信部８１２は、受信した第１機器８２０の識別情報を第２機器８３０に送信する。
【００４３】
その後、機器間連結制御装置８１０の通信部８１２は、第２機器８３０の通信部８３２から、第１機器８２０の認証情報を受信する。他の実施形態で、第２機器８３０の制御部８３６は、レベルによって、認証情報を送信することができる機器の制限を置くことができる。その場合、第２機器８３０は、第１機器８２０または機器間連結制御装置８１０によって、認証情報を送信せずに制限することができる。
その後、機器間連結制御装置８１０の制御部８１６は、第１機器８２０と互いに連結する。
【００４４】
前述のような機器間連結制御方法はまた、コンピュータで読み取り可能な記録媒体に、コンピュータで読み取り可能なコードとして具現することが可能である。コンピュータで読み取り可能な記録媒体は、コンピュータシステムによって読み取り可能なデータが保存される全ての種類の記録媒体を含む。コンピュータで読み取り可能な記録媒体の例としては、ＲＯＭ（read-only memory）、ＲＡＭ（random-access memory）、ＣＤ（compact disc）−ＲＯＭ、磁気テープ、フロッピー（登録商標）ディスク、光データ保存装置などがある。また、コンピュータで読み取り可能な記録媒体は、ネットワークに連結されたコンピュータシステムに分散され、分散方式でコンピュータで読み取り可能なコードが保存されて実行される。そして、前記方法を具現するための機能的な（function）プログラム、コード及びコードセグメントは、本発明が属する技術分野のプログラマらによって容易に推論されるのである。
【００４５】
以上、本発明について、その望ましい実施形態を中心に説明した。本発明が属する技術分野で当業者であるならば、本発明が本発明の本質的な特性から外れない範囲で変形された形態に具現されるということを理解することができるであろう。従って、開示された実施形態は、限定的な観点ではなく、説明的な観点から考慮されなければならない。本発明の範囲は、前述の説明ではなく、特許請求の範囲に示されており、それと同等な範囲内にある全ての差異は、本発明に含まれたものであると解釈されなければならないのである。
【符号の説明】
【００４６】
１１０、１２０、１３０、１４０、１５０、１６０  処理ステップ
【図１】
2014513876.tif 000003
【図２】
2014513876.tif 000004
【図３】
2014513876.tif 000005
【図４】
2014513876.tif 000006
【図５】
2014513876.tif 000007
【図６】
2014513876.tif 000008
【図７】
2014513876.tif 000009
【図８】
2014513876.tif 000010
【国際調査報告】
2014513876.tif 000011
2014513876.tif 000012
2014513876.tif 000013